(57)【要約】【課題】ブロードバンドルータのＷＡＮ／ＬＡＮインタフェースのコネクタの物理的共用化を可能とすると共に、ブロードバンドルータに接続するデバイスの属性を自動判別することを可能とする、接続デバイス属性自動判別方式およびこの方式を実装するＰＰＰ認証対応ブロードバンドルータを提供する。【解決手段】ルーティング制御部と、ＷＡＮ側への通信パスの接続制御を行うＷＡＮ側制御部とＬＡＮ側への通信パスの接続制御を行うＬＡＮ側制御部と、複数のＷＡＮ／ＬＡＮ共用インタフェースを備える１０／１００ＢＡＳＥ−ＴＸ複数ポート一体型コネクタと、を備えたルータにおいて、前記ＷＡＮ側制御部と前記ＬＡＮ側制御部に接続され、前記１０／１００ＢＡＳＥ−ＴＸ複数ポート一体型コネクタの前記ＷＡＮ／ＬＡＮ共用インタフェースに接続されたデバイスの属性を自動判別する接続デバイス属性自動判別部を更に備える、ことを特徴とする。【選択図】      図２
2004235722.tif 000002
【特許請求の範囲】
【請求項１】
ルーティングの制御を行うルーティング制御部と、前記ルーティング制御部に接続され、ＷＡＮ側への通信パスの接続制御を行うＷＡＮ側制御部とＬＡＮ側への通信パスの接続制御を行うＬＡＮ側制御部と、複数のＷＡＮ／ＬＡＮ共用インタフェースを備える１０／１００ＢＡＳＥ−ＴＸ複数ポート一体型コネクタと、を備えたルータにおいて、前記ＷＡＮ側制御部と前記ＬＡＮ側制御部に接続され、前記１０／１００ＢＡＳＥ−ＴＸ複数ポート一体型コネクタの前記ＷＡＮ／ＬＡＮ共用インタフェースに接続されたデバイスの属性を自動判別する接続デバイス属性自動判別部を更に備える、ことを特徴とする接続デバイス属性自動判別方式。
【請求項２】
前記接続デバイス属性自動判別部は、前記１０／１００ＢＡＳＥ−ＴＸ複数ポート一体型コネクタの前記ＷＡＮ／ＬＡＮ共用インタフェースに接続される１０／１００ＢＡＳＥ−ＴＸケーブルのストレート又はクロスの接続形式に従って、ストレート／クロス変換を行うストレート／クロススイッチと、前記ストレート／クロススイッチに接続され、前記ストレート／クロススイッチからの通信パスを、前記ＷＡＮ側制御部又は前記ＬＡＮ側制御部の何れかに切り替えるＷＡＮ／ＬＡＮスイッチと、前記ストレート／クロススイッチと前記ＷＡＮ／ＬＡＮスイッチのスイッチング動作を制御して前記ＷＡＮ／ＬＡＮ共用インタフェースに接続されたデバイスの属性を自動判別する制御を行う自動判別制御部と、から構成されることを特徴とする請求項１に記載の接続デバイス属性自動判別方式。
【請求項３】
前記自動判別制御部は、先ず、前記ＷＡＮ／ＬＡＮ共用インタフェースに接続された１０／１００ＢＡＳＥ−ＴＸケーブルがストレート形式或いはクロス形式の何れの接続形式でリンクアップするか、及びリンクアップが可能か否かを試験する、ことを特徴とする請求項２に記載の接続デバイス属性自動判別方式。
【請求項４】
前記自動判別制御部は、前記リンクアップが可能か否かを試験する為に、前記ＷＡＮ／ＬＡＮスイッチを仮に前記ＷＡＮ側制御部にスイッチング接続して固定し、次に、前記ストレート／クロススイッチの備えるスイッチを、ストレート側とクロス側に交互に切り替えて、前記１０／１００ＢＡＳＥ−ＴＸケーブルの接続形式を判別し、そして、ストレート形式／クロス形式の何れかリンクアップする方に前記ストレート／クロススイッチの前記スイッチを固定する、ことを特徴とする請求項３に記載の接続デバイス属性自動判別方式。
【請求項５】
前記自動判別制御部は、前記リンクアップが可能であった場合には、次に、前記ＷＡＮ側制御部に対してＩＰアドレスの割り当てを要求するＤＨＣＰ要求が有るか否かを判別し、前記ＤＨＣＰ要求があった場合には、前記ＷＡＮ／ＬＡＮ共用インタフェースに接続されたデバイスはＤＨＣＰクライアントであると判断して、前記ＷＡＮ／ＬＡＮスイッチを切り替えて前記ＬＡＮ側制御部に接続して固定する、ことを特徴とする請求項４に記載の接続デバイス属性自動判別方式。
【請求項６】
前記自動判別制御部は、前記ＤＨＣＰ要求がない場合には、前記ＷＡＮ／ＬＡＮ共用インタフェースに接続されたデバイスに対してＤＨＣＰ要求を行い、当該デバイスからの応答があるか否かを判別し、前記応答がない場合には、当該デバイスに対してＰＰＰ要求を行い、応答があるかを判別し、該応答がある場合には、当該デバイスはブリッジタイプモデムであると判断して、前記ＷＡＮ／ＬＡＮスイッチは前記ＷＡＮ側制御部に固定のままにし、該応答がない場合には、当該デバイスは固定ＩＰクライアントであると判断して、前記ＷＡＮ／ＬＡＮスイッチを切り替えて前記ＬＡＮ側制御部に固定する、ことを特徴とする請求項５に記載の接続デバイス属性自動判別方式。
【請求項７】
前記自動判別制御部は、前記ＷＡＮ／ＬＡＮ共用インタフェースに接続されたデバイスに対してＤＨＣＰ要求を行い、当該デバイスからの応答がある場合には、当該デバイスに対してＰＰＰ要求を行い、応答があるかを判別し、該応答がある場合には、当該デバイスはルータタイプモデムであると判断して、前記ＷＡＮ／ＬＡＮスイッチは前記ＷＡＮ側制御部に固定のままにし、該応答がない場合には、当該デバイスは他１０／１００ＢＡＳＥ−ＴＸネットワークに接続されるルータであると判断して、前記ＷＡＮ／ＬＡＮスイッチは前記ＷＡＮ側制御部に固定のままにする、ことを特徴とする請求項６に記載の接続デバイス属性自動判別方式。
【請求項８】
ルーティングの制御を行うルーティング制御部と、前記ルーティング制御部に接続され、ＷＡＮ側への通信パスの接続制御を行うＷＡＮ側制御部とＬＡＮ側への通信パスの接続制御を行うＬＡＮ側制御部と、複数のＷＡＮ／ＬＡＮ共用インタフェースを備える１０／１００ＢＡＳＥ−ＴＸ複数ポート一体型コネクタと、を備えたＰＰＰ認証対応ブロードバンドルータであって、前記ＷＡＮ側制御部と前記ＬＡＮ側制御部に接続され、前記１０／１００ＢＡＳＥ−ＴＸ複数ポート一体型コネクタの前記ＷＡＮ／ＬＡＮ共用インタフェースに接続されたデバイスの属性を自動判別する接続デバイス属性自動判別部を更に備える、ことを特徴とするＰＰＰ認証対応ブロードバンドルータ。
【請求項９】
前記接続デバイス属性自動判別部は、前記１０／１００ＢＡＳＥ−ＴＸ複数ポート一体型コネクタの前記ＷＡＮ／ＬＡＮ共用インタフェースに接続される１０／１００ＢＡＳＥ−ＴＸケーブルのストレート又はクロスの接続形式に従って、ストレート／クロス変換を行うストレート／クロススイッチと、前記ストレート／クロススイッチに接続され、前記ストレート／クロススイッチからの通信パスを、前記ＷＡＮ側制御部又は前記ＬＡＮ側制御部の何れかに切り替えるＷＡＮ／ＬＡＮスイッチと、前記ストレート／クロススイッチと前記ＷＡＮ／ＬＡＮスイッチのスイッチング動作を制御して前記ＷＡＮ／ＬＡＮ共用インタフェースに接続されたデバイスの属性を自動判別する制御を行う自動判別制御部と、から構成されることを特徴とする請求項８に記載のＰＰＰ認証対応ブロードバンドルータ。
【請求項１０】
前記自動判別制御部は、先ず、前記ＷＡＮ／ＬＡＮ共用インタフェースに接続された１０／１００ＢＡＳＥ−ＴＸケーブルがストレート形式或いはクロス形式の何れの接続形式でリンクアップするか、及びリンクアップが可能か否かを試験する、ことを特徴とする請求項９に記載のＰＰＰ認証対応ブロードバンドルータ。
【請求項１１】
前記自動判別制御部は、前記リンクアップが可能か否かを試験する為に、前記ＷＡＮ／ＬＡＮスイッチを仮に前記ＷＡＮ側制御部にスイッチング接続して固定し、次に、前記ストレート／クロススイッチの備えるスイッチを、ストレート側とクロス側に交互に切り替えて、前記１０／１００ＢＡＳＥ−ＴＸケーブルの接続形式を判別し、そして、ストレート形式／クロス形式の何れかリンクアップする方に前記ストレート／クロススイッチの前記スイッチを固定する、ことを特徴とする請求項１０に記載のＰＰＰ認証対応ブロードバンドルータ。
【請求項１２】
前記自動判別制御部は、前記リンクアップが可能であった場合には、次に、前記ＷＡＮ側制御部に対してＩＰアドレスの割り当てを要求するＤＨＣＰ要求が有るか否かを判別し、前記ＤＨＣＰ要求があった場合には、前記ＷＡＮ／ＬＡＮ共用インタフェースに接続されたデバイスはＤＨＣＰクライアントであると判断して、前記ＷＡＮ／ＬＡＮスイッチを切り替えて前記ＬＡＮ側制御部に接続して固定する、ことを特徴とする請求項１１に記載のＰＰＰ認証対応ブロードバンドルータ。
【請求項１３】
前記自動判別制御部は、前記ＤＨＣＰ要求がない場合には、前記ＷＡＮ／ＬＡＮ共用インタフェースに接続されたデバイスに対してＤＨＣＰ要求を行い、当該デバイスからの応答があるか否かを判別し、前記応答がない場合には、当該デバイスに対してＰＰＰ要求を行い、応答があるかを判別し、該応答がある場合には、当該デバイスはブリッジタイプモデムであると判断して、前記ＷＡＮ／ＬＡＮスイッチは前記ＷＡＮ側制御部に固定のままにし、該応答がない場合には、当該デバイスは固定ＩＰクライアントであると判断して、前記ＷＡＮ／ＬＡＮスイッチを切り替えて前記ＬＡＮ側制御部に固定する、ことを特徴とする請求項１２に記載のＰＰＰ認証対応ブロードバンドルータ。
【請求項１４】
前記自動判別制御部は、前記ＷＡＮ／ＬＡＮ共用インタフェースに接続されたデバイスに対してＤＨＣＰ要求を行い、当該デバイスからの応答がある場合には、当該デバイスに対してＰＰＰ要求を行い、応答があるかを判別し、該応答がある場合には、当該デバイスはルータタイプモデムであると判断して、前記ＷＡＮ／ＬＡＮスイッチは前記ＷＡＮ側制御部に固定のままにし、該応答がない場合には、当該デバイスは他１０／１００ＢＡＳＥ−ＴＸネットワークに接続されるルータであると判断して、前記ＷＡＮ／ＬＡＮスイッチは前記ＷＡＮ側制御部に固定のままにする、ことを特徴とする請求項１３に記載のＰＰＰ認証対応ブロードバンドルータ。
【発明の詳細な説明】
【０００１】
【発明の属する技術分野】
本発明は接続デバイス属性自動判別方式およびこの方式を実装するＰＰＰ認証対応ブロードバンドルータに関し、特に、ブロードバンドルータのＷＡＮ／ＬＡＮインタフェースのコネクタの物理的共用化を可能とすると共に、ブロードバンドルータに接続するデバイスの属性を自動判別することを可能とする、接続デバイス属性自動判別方式およびこの方式を実装するＰＰＰ認証対応ブロードバンドルータに関する。
【０００２】
【従来の技術】
近年、家庭内コンピュータ或いはＳＯＨＯ（Ｓｍａｌｌ  Ｏｆｆｉｃｅ／Ｈｏｍｅ  Ｏｆｆｉｃｅ  ：ソーホー）内コンピュータ等をインターネットに接続する方式として、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）が普及してきている。
【０００３】
ＡＤＳＬ接続を利用して１又は２以上のコンピュータをインターネットに接続する形態として、例えば、図７に示すような接続形態が通常用いられている。すなわち、図７において、ユーザが使用する複数のクライアントＰＣ（Ｐｅｒｓｏｎａｌ  Ｃｏｍｐｕｔｅｒ  ：パーソナルコンピュータ）６（６−１、６−２、６−３）は、高速・広帯域のネットワークに接続させるブロードバンドルータ５のＬＡＮ（Ｌｏｃａｌ  Ａｒｅａ  Ｎｅｔｗｏｒｋ：ラン）インタフェース５−２（５−２１、５−２２、５−２３）にそれぞれ接続され、ブロードバンドルータ５のＷＡＮ（Ｗｉｄｅ  Ａｒｅａ  Ｎｅｔｗｏｒｋ  ：広域網）インタフェース５−１は、ユーザ宅内に設置されるユーザ宅内ＡＤＳＬモデム４のＬＡＮインタフェース４−２に接続される。そして、ユーザ宅内ＡＤＳＬモデム４のＷＡＮインタフェース４−１は、ＡＤＳＬ回線３に接続され、ＩＳＰ（Ｉｎｔｅｒｎｅｔ  Ｓｅｒｖｉｃｅ  Ｐｒｏｖｉｄｅｒ  ：インターネット・サービス・プロバイダ）の局側モデムであるところのＤＳＬＡＭ（ＤＳＬ  Ａｃｃｅｓｓ  Ｍｕｌｔｉｐｌｅｘｅｒ：デジタル加入者回線接続多重化器）２を経由して、インターネット１に接続される。この接続形態により、クライアントＰＣ６からのインターネットアクセスが可能となる。
【０００４】
図７におけるブロードバンドルータ５は、通常、ユーザの宅内に設置され、ユーザが配線接続等を行うものであるため、ブロードバンドルータ５のＷＡＮインタフェース５−１とＬＡＮインタフェース５−２のコネクタは物理的に区別して設けられており（例えば、特許文献１参照。）、ユーザが誤配線を行わないよう防止措置をとっている。
【０００５】
また、通常、ブロードバンドルータ５とクライアントＰＣ６或いはユーザ宅内ＡＤＳＬモデム４との間は、伝送媒体としてＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ：（米国）電気電子学会）８０２．３によってＬＡＮ規格として規格化された１０ＢＡＳＥ−Ｔ或いは１００ＢＡＳＥ−ＴＸと称される（以降において、両者を併せ、１０／１００ＢＡＳＥ−ＴＸと記載するものとする。）ツイスト・ペア・ケーブルで接続されるようになっている。そして、１０／１００ＢＡＳＥ−ＴＸケーブルには、ストレートケーブルとクロスケーブルとの２種類のケーブルがあり（例えば、特許文献２参照。）、ブロードバンドルータ５に接続されるユーザ宅内ＡＤＳＬモデム４などのデバイスのポート仕様によって、ストレート又はクロス何れかのケーブルを選択するようになっている。
【０００６】
【特許文献１】
特開２００２−２７１３６０号公報（第３頁、図２）
【特許文献２】
特開２００１−２９１５６４号公報（第２−４頁、図４−図８）
【０００７】
【発明が解決しようとする課題】
上述した従来の家庭／ＳＯＨＯ用のブロードバンドルータでは、ＷＡＮインタフェースのコネクタとＬＡＮインタフェースのコネクタとを物理的に区別して設けることにより、ユーザの誤配線を防止するようになっているものの、通常、ＷＡＮインタフェース／ＬＡＮインタフェース共に同形状の１０／１００ＢＡＳＥ−ＴＸコネクタであるため、特に初心者ユーザの判断を混乱させ、誤配線を完全には防止できないという欠点を有している。
【０００８】
また、デバイスの接続に用いる１０／１００ＢＡＳＥ−ＴＸケーブルは、ブロードバンドルータのＷＡＮインタフェースに接続されるモデムやルータのポート仕様によって、ストレートかクロス何れかのケーブルを選択するようになっているが、何れのケーブルを選択すれば良いかの形式が統一されていないという欠点を有している。ストレートとクロスのケーブルの違いは、外見上の違いから判別することは困難であり、ユーザの判断の混乱を招く恐れがあり、誤った形式のケーブルを用いてしまえば当然に誤配線となり、柔軟性に欠けているものである。
【０００９】
本発明は、上述した事情を改善するために成されたものであり、従って本発明の目的は、（１）ＷＡＮ／ＬＡＮインタフェースのコネクタを物理的に区別する必要性を無くし、（２）１０／１００ＢＡＳＥ−ＴＸケーブルの形式を使い分ける煩雑さを省き、（３）ユーザの判断ミスによる配線誤りの発生を無くしてユーザの利便性を向上させ、（４）接続するデバイスの属性を自動判別してユーザが手動設定入力する手間を省くことにより、ユーザの利便性を確保する事を可能とする、接続デバイス属性自動判別方式およびこの方式を実装するＰＰＰ認証対応ブロードバンドルータを提供することにある。
【００１０】
【課題を解決するための手段】
本発明の接続デバイス属性自動判別方式は、ルーティングの制御を行うルーティング制御部と、前記ルーティング制御部に接続され、ＷＡＮ側への通信パスの接続制御を行うＷＡＮ側制御部とＬＡＮ側への通信パスの接続制御を行うＬＡＮ側制御部と、複数のＷＡＮ／ＬＡＮ共用インタフェースを備える１０／１００ＢＡＳＥ−ＴＸ複数ポート一体型コネクタと、を備えたルータにおいて、前記ＷＡＮ側制御部と前記ＬＡＮ側制御部に接続され、前記１０／１００ＢＡＳＥ−ＴＸ複数ポート一体型コネクタの前記ＷＡＮ／ＬＡＮ共用インタフェースに接続されたデバイスの属性を自動判別する接続デバイス属性自動判別部を更に備える、ことを特徴とする。
【００１１】
また、前記接続デバイス属性自動判別部は、前記１０／１００ＢＡＳＥ−ＴＸ複数ポート一体型コネクタの前記ＷＡＮ／ＬＡＮ共用インタフェースに接続される１０／１００ＢＡＳＥ−ＴＸケーブルのストレート又はクロスの接続形式に従って、ストレート／クロス変換を行うストレート／クロススイッチと、前記ストレート／クロススイッチに接続され、前記ストレート／クロススイッチからの通信パスを、前記ＷＡＮ側制御部又は前記ＬＡＮ側制御部の何れかに切り替えるＷＡＮ／ＬＡＮスイッチと、前記ストレート／クロススイッチと前記ＷＡＮ／ＬＡＮスイッチのスイッチング動作を制御して前記ＷＡＮ／ＬＡＮ共用インタフェースに接続されたデバイスの属性を自動判別する制御を行う自動判別制御部と、から構成されることを特徴とする。
【００１２】
さらに、前記自動判別制御部は、先ず、前記ＷＡＮ／ＬＡＮ共用インタフェースに接続された１０／１００ＢＡＳＥ−ＴＸケーブルがストレート形式或いはクロス形式の何れの接続形式でリンクアップするか、及びリンクアップが可能か否かを試験する、ことを特徴とする。
【００１３】
また、前記自動判別制御部は、前記リンクアップが可能か否かを試験する為に、前記ＷＡＮ／ＬＡＮスイッチを仮に前記ＷＡＮ側制御部にスイッチング接続して固定し、次に、前記ストレート／クロススイッチの備えるスイッチを、ストレート側とクロス側に交互に切り替えて、前記１０／１００ＢＡＳＥ−ＴＸケーブルの接続形式を判別し、そして、ストレート形式／クロス形式の何れかリンクアップする方に前記ストレート／クロススイッチの前記スイッチを固定する、ことを特徴とする。
【００１４】
さらに、前記自動判別制御部は、前記リンクアップが可能であった場合には、次に、前記ＷＡＮ側制御部に対してＩＰアドレスの割り当てを要求するＤＨＣＰ要求が有るか否かを判別し、前記ＤＨＣＰ要求があった場合には、前記ＷＡＮ／ＬＡＮ共用インタフェースに接続されたデバイスはＤＨＣＰクライアントであると判断して、前記ＷＡＮ／ＬＡＮスイッチを切り替えて前記ＬＡＮ側制御部に接続して固定する、ことを特徴とする。
【００１５】
また、前記自動判別制御部は、前記ＤＨＣＰ要求がない場合には、前記ＷＡＮ／ＬＡＮ共用インタフェースに接続されたデバイスに対してＤＨＣＰ要求を行い、当該デバイスからの応答があるか否かを判別し、前記応答がない場合には、当該デバイスに対してＰＰＰ要求を行い、応答があるかを判別し、該応答がある場合には、当該デバイスはブリッジタイプモデムであると判断して、前記ＷＡＮ／ＬＡＮスイッチは前記ＷＡＮ側制御部に固定のままにし、該応答がない場合には、当該デバイスは固定ＩＰクライアントであると判断して、前記ＷＡＮ／ＬＡＮスイッチを切り替えて前記ＬＡＮ側制御部に固定する、ことを特徴とする。
【００１６】
さらに、前記自動判別制御部は、前記ＷＡＮ／ＬＡＮ共用インタフェースに接続されたデバイスに対してＤＨＣＰ要求を行い、当該デバイスからの応答がある場合には、当該デバイスに対してＰＰＰ要求を行い、応答があるかを判別し、該応答がある場合には、当該デバイスはルータタイプモデムであると判断して、前記ＷＡＮ／ＬＡＮスイッチは前記ＷＡＮ側制御部に固定のままにし、該応答がない場合には、当該デバイスは他１０／１００ＢＡＳＥ−ＴＸネットワークに接続されるルータであると判断して、前記ＷＡＮ／ＬＡＮスイッチは前記ＷＡＮ側制御部に固定のままにする、ことを特徴とする。
【００１７】
本発明のＰＰＰ認証対応ブロードバンドルータは、ルーティングの制御を行うルーティング制御部と、前記ルーティング制御部に接続され、ＷＡＮ側への通信パスの接続制御を行うＷＡＮ側制御部とＬＡＮ側への通信パスの接続制御を行うＬＡＮ側制御部と、複数のＷＡＮ／ＬＡＮ共用インタフェースを備える１０／１００ＢＡＳＥ−ＴＸ複数ポート一体型コネクタと、を備えたＰＰＰ認証対応ブロードバンドルータであって、前記ＷＡＮ側制御部と前記ＬＡＮ側制御部に接続され、前記１０／１００ＢＡＳＥ−ＴＸ複数ポート一体型コネクタの前記ＷＡＮ／ＬＡＮ共用インタフェースに接続されたデバイスの属性を自動判別する接続デバイス属性自動判別部を更に備える、ことを特徴とする。
【００１８】
また、前記接続デバイス属性自動判別部は、前記１０／１００ＢＡＳＥ−ＴＸ複数ポート一体型コネクタの前記ＷＡＮ／ＬＡＮ共用インタフェースに接続される１０／１００ＢＡＳＥ−ＴＸケーブルのストレート又はクロスの接続形式に従って、ストレート／クロス変換を行うストレート／クロススイッチと、前記ストレート／クロススイッチに接続され、前記ストレート／クロススイッチからの通信パスを、前記ＷＡＮ側制御部又は前記ＬＡＮ側制御部の何れかに切り替えるＷＡＮ／ＬＡＮスイッチと、前記ストレート／クロススイッチと前記ＷＡＮ／ＬＡＮスイッチのスイッチング動作を制御して前記ＷＡＮ／ＬＡＮ共用インタフェースに接続されたデバイスの属性を自動判別する制御を行う自動判別制御部と、から構成されることを特徴とする。
【００１９】
さらに、前記自動判別制御部は、先ず、前記ＷＡＮ／ＬＡＮ共用インタフェースに接続された１０／１００ＢＡＳＥ−ＴＸケーブルがストレート形式或いはクロス形式の何れの接続形式でリンクアップするか、及びリンクアップが可能か否かを試験する、ことを特徴とする。
【００２０】
また、前記自動判別制御部は、前記リンクアップが可能か否かを試験する為に、前記ＷＡＮ／ＬＡＮスイッチを仮に前記ＷＡＮ側制御部にスイッチング接続して固定し、次に、前記ストレート／クロススイッチの備えるスイッチを、ストレート側とクロス側に交互に切り替えて、前記１０／１００ＢＡＳＥ−ＴＸケーブルの接続形式を判別し、そして、ストレート形式／クロス形式の何れかリンクアップする方に前記ストレート／クロススイッチの前記スイッチを固定する、ことを特徴とする。
【００２１】
さらに、前記自動判別制御部は、前記リンクアップが可能であった場合には、次に、前記ＷＡＮ側制御部に対してＩＰアドレスの割り当てを要求するＤＨＣＰ要求が有るか否かを判別し、前記ＤＨＣＰ要求があった場合には、前記ＷＡＮ／ＬＡＮ共用インタフェースに接続されたデバイスはＤＨＣＰクライアントであると判断して、前記ＷＡＮ／ＬＡＮスイッチを切り替えて前記ＬＡＮ側制御部に接続して固定する、ことを特徴とする。
【００２２】
また、前記自動判別制御部は、前記ＤＨＣＰ要求がない場合には、前記ＷＡＮ／ＬＡＮ共用インタフェースに接続されたデバイスに対してＤＨＣＰ要求を行い、当該デバイスからの応答があるか否かを判別し、前記応答がない場合には、当該デバイスに対してＰＰＰ要求を行い、応答があるかを判別し、該応答がある場合には、当該デバイスはブリッジタイプモデムであると判断して、前記ＷＡＮ／ＬＡＮスイッチは前記ＷＡＮ側制御部に固定のままにし、該応答がない場合には、当該デバイスは固定ＩＰクライアントであると判断して、前記ＷＡＮ／ＬＡＮスイッチを切り替えて前記ＬＡＮ側制御部に固定する、ことを特徴とする。
【００２３】
さらに、前記自動判別制御部は、前記ＷＡＮ／ＬＡＮ共用インタフェースに接続されたデバイスに対してＤＨＣＰ要求を行い、当該デバイスからの応答がある場合には、当該デバイスに対してＰＰＰ要求を行い、応答があるかを判別し、該応答がある場合には、当該デバイスはルータタイプモデムであると判断して、前記ＷＡＮ／ＬＡＮスイッチは前記ＷＡＮ側制御部に固定のままにし、該応答がない場合には、当該デバイスは他１０／１００ＢＡＳＥ−ＴＸネットワークに接続されるルータであると判断して、前記ＷＡＮ／ＬＡＮスイッチは前記ＷＡＮ側制御部に固定のままにする、ことを特徴とする。
【００２４】
【発明の実施の形態】
次に、本発明の実施の形態について図面を参照して説明する。
【００２５】
図１は本発明のＰＰＰ認証対応ブロードバンドルータの一実施形態を示すブロック図である。
【００２６】
図１に示す本実施の形態は、ユーザの使用する複数のクライアントＰＣ（Ｐｅｒｓｏｎａｌ  Ｃｏｍｐｕｔｅｒ  ：パーソナルコンピュータ）６を、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）接続及び本発明のＰＰＰ認証対応ブロードバンドルータ８を利用して、インターネット１に接続する形態の一例を示すものである。なお、ＰＰＰ認証対応ブロードバンドルータ８は、従来の図７に示したブロードバンドルータ５が物理的に区別して設けていたＷＡＮ（Ｗｉｄｅ  Ａｒｅａ  Ｎｅｔｗｏｒｋ  ：広域網）インタフェース５−１のコネクタとＬＡＮ（Ｌｏｃａｌ  Ａｒｅａ  Ｎｅｔｗｏｒｋ：ラン）インタフェース５−２のコネクタとを、物理的に共用化することを可能とする本発明の１０／１００ＢＡＳＥ−ＴＸ複数ポート一体型コネクタ９を備えており、１０／１００ＢＡＳＥ−ＴＸ複数ポート一体型コネクタ９には、複数のＷＡＮ／ＬＡＮ共用インタフェース９−１（９−１１、９−１２、９−１３、９−１４）が備えられている。ＷＡＮ／ＬＡＮ共用インタフェース９−１は、従来は物理的に区別して設けていたＷＡＮインタフェース５−１とＬＡＮインタフェース５−２のコネクタを、ＷＡＮ／ＬＡＮ何れのインタフェースであっても接続することを可能とする本発明のインタフェースである。
【００２７】
図１において、複数のクライアントＰＣ６（６−１、６−２、６−３）は、高速・広帯域のネットワークに接続させるＰＰＰ認証対応ブロードバンドルータ８のＷＡＮ／ＬＡＮ共用インタフェース９−１（９−１２、９−１３、９−１４）にそれぞれ接続され、ＰＰＰ認証対応ブロードバンドルータ８のＷＡＮ／ＬＡＮ共用インタフェース９−１１は、ユーザ宅内に設置されるユーザ宅内ＡＤＳＬモデム４のＬＡＮインタフェース４−２に接続される。そして、ユーザ宅内ＡＤＳＬモデム４のＷＡＮインタフェース４−１は、ＡＤＳＬ回線３に接続され、ＩＳＰ（Ｉｎｔｅｒｎｅｔ  Ｓｅｒｖｉｃｅ  Ｐｒｏｖｉｄｅｒ  ：インターネット・サービス・プロバイダ）の局側モデムであるところのＤＳＬＡＭ（ＤＳＬ  Ａｃｃｅｓｓ  Ｍｕｌｔｉｐｌｅｘｅｒ：デジタル加入者回線接続多重化器）２を経由して、インターネット１に接続される。この接続形態により、クライアントＰＣ６からのインターネットアクセスが可能となる。
【００２８】
なお、図１に示したＰＰＰ認証対応ブロードバンドルータ８は、ＡＤＳＬだけでなく、ＣＡＴＶ（ｃａｂｌｅ  ｔｅｌｅｖｉｓｉｏｎ：ケーブルテレビ）やＦＴＴＨ（ｆｉｂｅｒ  ｔｏｔｈｅ  ｈｏｍｅ  ：ファイバ・ツー・ザ・ホーム）などのインフラを用いた高速・広帯域のネットワークに接続する、一般にブロードバンド接続と称するインターネット接続を行うことが可能なルータである。そして、インターネット接続にあたっては、ＰＰＰｏＡ（Ｐｏｉｎｔ  ｔｏ  Ｐｏｉｎｔ  Ｐｒｏｔｏｃｏｌ  ｏｖｅｒ  Ａｓｙｎｃｈｒｏｎｏｕｓ  Ｔｒａｎｓｆｅｒ  Ｍｏｄｅ  ）又はＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ  （登録商標））が用いられる。ＰＰＰｏＡ又はＰＰＰｏＥを用いるルータであるため、本実施形態においては「ＰＰＰ認証対応ブロードバンドルータ」という名称としたものである。
【００２９】
また、本実施形態においては、一般のブロードバンドルータが担う２つのネットワークインタフェースの内、インターネット側のインタフェースをＷＡＮインタフェース或いは「ＷＡＮ側」と称し、ローカルネットワーク側のインタフェースをＬＡＮインタフェース或いは「ＬＡＮ側」と称するものとする。
【００３０】
さらに、本実施形態におけるＷＡＮインタフェースは、１０／１００ＢＡＳＥ−ＴＸコネクタであるものとする。従って、例えばＷＡＮインタフェースとしてＡＤＳＬ回線用６芯モジュラジャックを使用しているＡＤＳＬモデム内蔵ブロードバンドルータのような、インフラ固有のＷＡＮインタフェースを備える装置は、除外するものとする。
【００３１】
またさらに、本実施形態においては、一般的な家庭内或いはＳＯＨＯ（Ｓｍａｌｌ  Ｏｆｆｉｃｅ／Ｈｏｍｅ  Ｏｆｆｉｃｅ  ：ソーホー）内において、ブロードバンド接続によって使用される各種機器のことを、「デバイス」と称する事とする。デバイスの例としては、ＬＡＮ側では、ＰＣやネットワークプリンタ等のＤＨＣＰ（Ｄｙｎａｍｉｃ  ＨｏｓｔＣｏｎｆｉｇｕｒａｔｉｏｎ  Ｐｒｏｔｏｃｏｌ  ）クライアント又は固定ＩＰ（Ｉｎｔｅｒｎｅｔ  Ｐｒｏｔｏｃｏｌ  ）クライアントを挙げることができる。ＤＨＣＰクライアントとは、ＤＨＣＰを用いて自己のＩＰアドレスを動的に取得する機器のことであり、固定ＩＰクライアントとは、ＩＰアドレスが固定的に定められている機器のことである。また、ＷＡＮ側のデバイスの例としては、ＰＰＰｏＥ又はＰＰＰｏＡ対応のブリッジタイプモデム又はルータタイプモデム、或いは他のローカルネットワークのルータ、などを挙げることができる。なお、図１においては、クライアントＰＣ６とユーザ宅内ＡＤＳＬモデム４を、デバイスの一例として示している。
【００３２】
次に、図２を参照して、ＰＰＰ認証対応ブロードバンドルータ８の詳細構成について説明する。
【００３３】
図２は、ＰＰＰ認証対応ブロードバンドルータの詳細構成を示すブロック図である。なお、図２において図１に示す構成要素に対応するものは同一の参照数字または符号を付し、その説明を省略する。
【００３４】
図２において、ＰＰＰ認証対応ブロードバンドルータ８は、ルータとしてのルーティングの制御を行うルーティング制御部８１と、ルーティング制御部８１に接続され、ＷＡＮ側への通信パスの接続制御を行うＷＡＮ側制御部８２とＬＡＮ側への通信パスの接続制御を行うＬＡＮ側制御部８３と、ＰＰＰ認証対応ブロードバンドルータ８に１０／１００ＢＡＳＥ−ＴＸケーブルを介してデバイスを接続する為の１０／１００ＢＡＳＥ−ＴＸ複数ポート一体型コネクタ９と、１０／１００ＢＡＳＥ−ＴＸ複数ポート一体型コネクタ９のＷＡＮ／ＬＡＮ共用インタフェース９−１に接続されたデバイスの属性を自動判別する接続デバイス属性自動判別部８４とから構成されている。なお、接続デバイス属性自動判別部８４はＷＡＮ側制御部８２とＬＡＮ側制御部８３と、に接続されている。また、ルーティング制御部８１とＷＡＮ側制御部８２とＬＡＮ側制御部８３については、既存のルータ技術による機能である為、これ以上の説明は省略するものとする。
【００３５】
接続デバイス属性自動判別部８４は、１０／１００ＢＡＳＥ−ＴＸ複数ポート一体型コネクタ９のＷＡＮ／ＬＡＮ共用インタフェース９−１に接続される１０／１００ＢＡＳＥ−ＴＸケーブルのストレート又はクロスの接続形式に従って、ストレート／クロス変換を行うストレート／クロススイッチ８７（８７−１、８７−２、８７−３、８７−４）と、ストレート／クロススイッチ８７に接続され、ストレート／クロススイッチ８７からの通信パスを、ＷＡＮ側制御部８２又はＬＡＮ側制御部８３の何れかに切り替えるＷＡＮ／ＬＡＮスイッチ８６（８６−１、８６−２、８６−３、８６−４）とから構成され、ストレート／クロススイッチ８７とＷＡＮ／ＬＡＮスイッチ８６とは、接続デバイス属性自動判別部８４内の図示しない自動判別制御部の制御によって動作するようになっている。
【００３６】
次に、図３を参照して、１０／１００ＢＡＳＥ−ＴＸケーブルの接続形式について説明する。
【００３７】
図３は、１０／１００ＢＡＳＥ−ＴＸケーブルの接続形式を示す図である。
【００３８】
１０／１００ＢＡＳＥ−ＴＸケーブルには、図３（ａ）に示すストレート形式のケーブルと、図３（ｂ）に示すクロス形式のケーブルとの２種類のものがある。図３（ａ）のストレート形式のケーブルは、ケーブル両端のプラグの同じ番号同士のピンを結んだケーブルである。図３（ｂ）のクロス形式のケーブルは、一方のプラグの１、２番のピンと他方のプラグの３、６番のピンを結ぶと共に、一方のプラグの３、６番のピンと他方のプラグの１、２番のピンとを結んだケーブルである。
【００３９】
つまり、図３（ａ）のストレート形式のケーブルでは、一方のプラグの１、２番ピンが送信信号端子であり、３、６番ピンが受信信号端子であれば、他方のプラグの１、２番ピンは受信信号端子となり、３、６番ピンは送信信号端子となる。図３（ｂ）のクロス形式のケーブルでは、一方のプラグの１、２番ピンが送信信号端子であり、３、６番ピンが受信信号端子であれば、他方のプラグの１、２番ピンは同じく送信信号端子であり、３、６番ピンも同じく受信信号端子となる。
【００４０】
次に、図４を参照して、図２に示したＰＰＰ認証対応ブロードバンドルータ８のストレート／クロススイッチ８７の構成について説明する。
【００４１】
図４は、ストレート／クロススイッチの構成を説明する図である。なお、図４において図２に示す構成要素に対応するものは同一の参照数字または符号を付し、その説明を省略するものとする。また、図４はストレート／クロススイッチ８７の１ポート分（ストレート／クロススイッチ８７−１）だけを抜粋して示すものであり、他のストレート／クロススイッチ８７（８７−２、８７−３、８７−４）もストレート／クロススイッチ８７−１と同等の構成である。
【００４２】
図４において、ストレート／クロススイッチ８７−１は、ＷＡＮ／ＬＡＮ共用インタフェース９−１１の各ピン（１、２、３、６番ピン）からの信号線を、ストレート形式或いはクロス形式に変換して、ＷＡＮ／ＬＡＮスイッチ８６−１へ接続するように構成されている。すなわち、図４のスイッチ８８をストレート側（図４では上側）にスイッチング接続すれば、ストレート形式でＷＡＮ／ＬＡＮスイッチ８６−１へ接続され、図４のスイッチ８８をクロス側（図４では下側）にスイッチング接続すれば、クロス形式でＷＡＮ／ＬＡＮスイッチ８６−１へ接続されるようになっている。なお、ＷＡＮ／ＬＡＮ共用インタフェース９−１１とスイッチ８８の間に、ＷＡＮ／ＬＡＮ共用インタフェース９−１１に１０／１００ＢＡＳＥ−ＴＸケーブルが接続されているか否かを検出するコネクタ抜挿検知回路８９が設けられている。
【００４３】
次に、図５を参照して、図２に示したＰＰＰ認証対応ブロードバンドルータ８のＷＡＮ／ＬＡＮスイッチ８６の構成について説明する。
【００４４】
図５は、ＷＡＮ／ＬＡＮスイッチの構成を説明する図である。なお、図５において図２、図４に示す構成要素に対応するものは同一の参照数字または符号を付し、その説明を省略するものとする。また、図５はＷＡＮ／ＬＡＮスイッチ８６の１ポート分（ＷＡＮ／ＬＡＮスイッチ８６−１）だけを抜粋して示すものであり、他のＷＡＮ／ＬＡＮスイッチ８６（８６−２、８６−３、８６−４）もＷＡＮ／ＬＡＮスイッチ８６−１と同等の構成である。
【００４５】
図５において、ＷＡＮ／ＬＡＮスイッチ８６−１は、ストレート／クロススイッチ８７−１からの各信号線（１、２、３、６番ピンからの信号線）を、ＷＡＮ側制御部８２或いはＬＡＮ側制御部８３へ切り替えるスイッチで構成されている。なお、図５においては、各信号線（１、２、３、６番ピンからの信号線）をまとめて１本の太い実線として示しているものである。
【００４６】
次に、図６を参照して、図１から図５に示した本実施形態のＰＰＰ認証対応ブロードバンドルータ８における接続デバイス属性自動判別の動作について説明する。
【００４７】
図６は、本実施形態の接続デバイス属性自動判別の動作を説明するフローチャートである。なお、図６で説明する動作は、図２の接続デバイス属性自動判別部８４の自動判別制御部（図示せず）によって制御されるものである。
【００４８】
ＰＰＰ認証対応ブロードバンドルータ８の１０／１００ＢＡＳＥ−ＴＸ複数ポート一体型コネクタ９の何れかのＷＡＮ／ＬＡＮ共用インタフェース９−１に、属性が不明のデバイスが１０／１００ＢＡＳＥ−ＴＸケーブルにより接続される（図６のＳ１）。なお、以降の説明の容易化のため、ＷＡＮ／ＬＡＮ共用インタフェース９−１１にデバイスが接続されたものとして説明を行う。
【００４９】
ＷＡＮ／ＬＡＮ共用インタフェース９−１１に属性不明のデバイスが接続されると（図６のＳ１）、コネクタ抜挿検知回路８９が、ケーブルが確実に挿入された事を検知して（Ｓ２）、以降のアルゴリズムに従った動作が開始される。
【００５０】
先ず、ＷＡＮ／ＬＡＮ共用インタフェース９−１１に接続された１０／１００ＢＡＳＥ−ＴＸケーブルがストレート形式或いはクロス形式の何れの接続形式でリンクアップ（ＬｉｎｋＵｐ）するか、及びリンクアップが可能か否かを試験する。ここで、リンクアップとは、通信リンクが確立している状態すなわちデータ送受信が可能な状態を、リンクがアップしているすなわちリンクアップと称するものである。なお、１０／１００ＢＡＳＥ−ＴＸのリンクアップ処理は、ＷＡＮ側制御部８２とＬＡＮ側制御部８３で実現される既存の技術によるものである為、これ以上の説明は省略するものとする。
【００５１】
リンクアップが可能か否かを試験する為に、ＷＡＮ／ＬＡＮスイッチ８６−１を仮にＷＡＮ側制御部８２にスイッチング接続して固定する（Ｓ３）。
【００５２】
次に、ストレート／クロススイッチ８７−１のスイッチ８８を、ストレート側とクロス側に交互に切り替えて、１０／１００ＢＡＳＥ−ＴＸケーブルの接続形式（すなわち、ストレート形式かクロス形式か）を判別する（Ｓ４）。そして、ストレート形式／クロス形式の何れかリンクアップする方にストレート／クロススイッチ８７−１のスイッチ８８を固定して次のフェーズ（ステップＳ６として後述する）に進む。
【００５３】
ステップＳ４で、ストレート／クロスの何れにおいてもリンクアップしない場合（ステップＳ４でＮＯ）、ステップＳ１で接続された当該デバイスは１０／１００ＢＡＳＥ−ＴＸコネクタを持つ装置ではないと判断し、ＰＰＰ認証対応ブロードバンドルータ８に備えられた表示装置などを介してユーザにこれを通知し、本アルゴリズムは終了する（Ｓ５）。
【００５４】
ステップＳ４でリンクアップした場合（ステップＳ４でＹＥＳ）、次に、ＷＡＮ側制御部８２に対してＩＰアドレスの割り当てを要求するＤＨＣＰ要求が有るか否かを判別する（Ｓ６）。
【００５５】
ＤＨＣＰ要求があった場合（ステップＳ６でＹＥＳ）、当該デバイスはＤＨＣＰクライアントであると判断して、ＷＡＮ／ＬＡＮスイッチ８６−１を切り替えてＬＡＮ側制御部８３に接続して固定し、当該デバイスのＩＰアドレスを取得した後、その結果をユーザに通知して本アルゴリズムを終了する（Ｓ７）。
【００５６】
ステップＳ６でＤＨＣＰ要求がない場合（ステップＳ６でＮＯ）、当該デバイスは、ルータ又はモデム又は固定ＩＰクライアントである可能性があるため、本アルゴリズムは次の処理へ移行する。
【００５７】
すなわち、ＰＰＰ認証対応ブロードバンドルータ８の自己のＩＰアドレスを一旦リセットして（Ａ１）、当該デバイスに対してＤＨＣＰ要求を行い、当該デバイスからの応答があるか否かを判別する（Ｓ８）。
【００５８】
ステップＳ８での応答がない場合（ステップＳ８でＮＯ）、当該デバイスは、ブリッジタイプモデム又は固定ＩＰクライアントである可能性がある。従って、ここで自己のＰＰＰを一旦リセットして（Ａ２）、当該デバイスに対してＰＰＰ要求を行い、応答があるかを判別する（Ｓ９）。なお、ここでのＰＰＰとは、前述したようにＰＰＰｏＡ又はＰＰＰｏＥの何れかである。
【００５９】
ステップＳ９で応答がある場合（ステップＳ９でＹＥＳ）、当該デバイスはブリッジタイプモデムであると判断して、ＷＡＮ／ＬＡＮスイッチ８６−１はＷＡＮ側制御部８２に固定のまま、この結果をユーザに通知して本アルゴリズムを終了する（Ｓ１３）。
【００６０】
ステップＳ９で応答がない場合（ステップＳ９でＮＯ）、当該デバイスは固定ＩＰクライアントであると判断して、ＷＡＮ／ＬＡＮスイッチ８６−１を切り替えてＬＡＮ側制御部８３に固定し、この結果をユーザに通知して本アルゴリズムを終了する（Ｓ１４）。
【００６１】
ステップＳ８での応答がある場合（ステップＳ８でＹＥＳ）、当該デバイスは、ルータタイプモデム又は他の１０／１００ＢＡＳＥ−ＴＸネットワークに接続されるルータである可能性がある。従って、ここで自己のＰＰＰを一旦リセットして（Ａ３）、当該デバイスに対してＰＰＰ要求を行い、応答があるかを判別する（Ｓ１０）。
【００６２】
ステップＳ１０で応答がある場合（ステップＳ１０でＹＥＳ）、当該デバイスはルータタイプモデムであると判断して、ＷＡＮ／ＬＡＮスイッチ８６−１はＷＡＮ側制御部８２に固定のまま、この結果をユーザに通知して本アルゴリズムを終了する（Ｓ１１）。
【００６３】
ステップＳ１０で応答がない場合（ステップＳ１０でＮＯ）、当該デバイスは他１０／１００ＢＡＳＥ−ＴＸネットワークに接続されるルータであると判断して、ＷＡＮ／ＬＡＮスイッチ８６−１はＷＡＮ側制御部８２に固定のまま、この結果をユーザに通知して本アルゴリズムを終了する（Ｓ１２）。
【００６４】
以上、本実施形態の接続デバイス属性自動判別の動作について説明した。
【００６５】
本実施形態によれば、１０／１００ＢＡＳＥ−ＴＸ複数ポート一体型コネクタ９の内のどのＷＡＮ／ＬＡＮ共用インタフェース９−１であっても、ＷＡＮ側となるデバイス或いはＬＡＮ側となるデバイスを接続する事が可能となる。
【００６６】
なお、１０／１００ＢＡＳＥ−ＴＸ複数ポート一体型コネクタ９には、ＷＡＮ側となるデバイスは１台だけ接続し、他は全てＬＡＮ側のデバイスを接続させるものとする、といった要求がある場合には、ルータ又はモデムなどのＷＡＮ側のデバイスが既に接続されている場合、以降に接続されるデバイスは、強制的にＬＡＮ側に固定されるよう、上述の動作を変更してもよい。
【００６７】
また、上述の実施形態では、１０／１００ＢＡＳＥ−ＴＸ複数ポート一体型コネクタ９のＷＡＮ／ＬＡＮ共用インタフェース９−１の数を４として説明したが、ＷＡＮ／ＬＡＮ共用インタフェース９−１の数は４に限定されるものではなく、１以上任意の数のＷＡＮ／ＬＡＮ共用インタフェース９−１を備えるものであってよい。
【００６８】
【発明の効果】
以上説明したように、本発明の接続デバイス属性自動判別方式およびこの方式を実装するＰＰＰ認証対応ブロードバンドルータは、ＰＰＰ認証対応ブロードバンドルータ内に接続デバイス属性自動判別部を備えている為、（１）ＷＡＮ／ＬＡＮインタフェースのコネクタを物理的に区別する必要性を無くし、（２）１０／１００ＢＡＳＥ−ＴＸケーブルの形式を使い分ける煩雑さを省き、（３）ユーザの判断ミスによる配線誤りの発生を無くしてユーザの利便性を向上させ、（４）接続するデバイスの属性を自動判別してユーザが手動設定入力する手間を省く、という効果を有しており、ユーザの利便性を確保する事が可能となる、という効果を有している。
【図面の簡単な説明】
【図１】本発明のＰＰＰ認証対応ブロードバンドルータの一実施形態を示すブロック図である。
【図２】ＰＰＰ認証対応ブロードバンドルータの詳細構成を示すブロック図である。
【図３】１０／１００ＢＡＳＥ−ＴＸケーブルの接続形式を示す図である。
【図４】ストレート／クロススイッチの構成を説明する図である。
【図５】ＷＡＮ／ＬＡＮスイッチの構成を説明する図である。
【図６】本実施形態の接続デバイス属性自動判別の動作を説明するフローチャートである。
【図７】従来のブロードバンドルータの接続形態の一例を示すブロック図である。
【符号の説明】
１    インターネット
２    ＤＳＬＡＭ
３    ＡＤＳＬ回線
４    ユーザ宅内ＡＤＳＬモデム
４−１    ＷＡＮインタフェース
４−２    ＬＡＮインタフェース
５    ブロードバンドルータ
５−１    ＷＡＮインタフェース
５−２    ＬＡＮインタフェース
６    クライアントＰＣ
８    ＰＰＰ認証対応ブロードバンドルータ
８１    ルーティング制御部
８２    ＷＡＮ側制御部
８３    ＬＡＮ側制御部
８４    接続デバイス属性自動判別部
８６    ＷＡＮ／ＬＡＮスイッチ
８７    ストレート／クロススイッチ
８８    スイッチ
８９    コネクタ抜挿検知回路
９    １０／１００ＢＡＳＥ−ＴＸ複数ポート一体型コネクタ
９−１    ＷＡＮ／ＬＡＮ共用インタフェース
【図１】
2004235722.tif 000003
【図２】
2004235722.tif 000004
【図３】
2004235722.tif 000005
【図４】
2004235722.tif 000006
【図５】
2004235722.tif 000007
【図６】
2004235722.tif 000008
【図７】
2004235722.tif 000009